(57)【要約】  【課題】  所定の操作を行うことで，踏み込み動作により原稿の印刷処理を開始させる指令を画像形成装置に入力する，補助的印刷開始指示手段（例えばフットスイッチ）からの入力が許可される画像形成装置を提供する。  【解決手段】  利用者により動作開始ボタン３２が押下される（Ｓ１）と，フットスイッチＸが動作可能である時間内は，内部記憶部３４に記憶されている印刷許可情報データを０から１へ書き直される（Ｓ５）ことで，内部記憶部３４に記憶されている印刷許可情報データが０の場合は，印刷処理が開始されないように制御部３０によって制御される（Ｓ９）。また，フットスイッチＸが動作可能である間のみ，フットスイッチＸが動作可能である旨を表す文言（あるいは記号），および動作可能である残時間が表示操作部３に表示される（Ｓ６）。【選択図】図４
2005062401.tif 000002
【特許請求の範囲】
【請求項１】
画像形成装置に関する情報の表示及び該画像形成装置の操作に関する入力を行なうための表示操作手段と，踏み込み動作により上記画像形成装置に上記原稿の印刷処理を開始させる指令を入力する補助的印刷開始指示手段とを具備してなる画像形成装置において，
上記表示操作手段に設けられた所定の部材或いは所定の部材の組合せを操作することで上記補助的印刷開始指示手段からの入力が許可されることを特徴とする画像形成装置。
【請求項２】
上記所定の部材或いは所定の部材の組合せによる操作から所定時間内に上記補助的印刷開始指示手段からの入力が行われない際に，上記所定の部材或いは所定の部材の組合せによる操作がなかったものと看做す処理が行なわれる初期化手段を備える請求項１に記載の画像形成装置。
【請求項３】
上記表示操作手段に設けられた所定の部材或いは所定の部材の組合せが操作された場合に，上記表示操作手段に上記補助的印刷開始指示手段からの入力が可能であることを表示する請求項１或いは２のいずれかに記載の画像形成装置。
【請求項４】
上記所定の部材或いは所定の部材の組合せによる操作が行われた際に，上記補助的印刷開始指示手段からの入力が可能であることを表示すると共に，上記操作から所定時間内に上記補助的印刷開始指示手段からの入力が行われない際に，上記補助的印刷開始指示手段からの入力が可能であることの表示をクリアする請求項３に記載の画像形成装置。
【請求項５】
上記所定時間が上記表示操作手段から設定可能である請求項２〜４のいずれかに記載の画像形成装置。
【請求項６】
上記所定時間中は，上記表示操作手段に上記補助的印刷開始指示手段の動作残時間が表示される請求項１〜５のいずれかに記載の画像形成装置。
【請求項７】
上記補助的印刷開始指示手段がフットスイッチである請求項１〜６のいずれかに記載の画像形成装置。
【請求項８】
画像形成装置に関する情報の表示及び該画像形成装置の操作に関する入力を行なうための表示操作手段と，踏み込み動作により上記画像形成装置に上記原稿の印刷処理を開始させる指令を入力する補助的印刷開始指示手段とを具備してなる画像形成装置を制御するプログラムであり，上記表示操作手段に設けられた所定の部材或いは所定の部材の組合せを操作することで上記補助的印刷開始指示手段からの入力が許可される機能を実現するための制御プログラム。
【発明の詳細な説明】
【技術分野】
【０００１】
本発明は，踏み込み動作により原稿の印刷処理を開始させる指令を画像形成装置に入力する，補助的印刷開始指示手段（例えばフットスイッチ）を備えた画像形成装置に係り，特に，所定の操作を行うことで補助的印刷開始指示手段からの入力が許可される画像形成装置に関するものである。
【背景技術】
【０００２】
複写機，プリンタ，ファクシミリ，あるいはその複合機として構成される画像形成装置では，近年，印刷開始用のフットスイッチを設けた機種が製造されている。このようなフットスイッチを設けた画像形成装置では，利用者が沢山の書類などを持っているためにその両手が自由に使用できない状態，あるいは原稿台上の原稿のサイズが大きいため，原稿の下に印刷開始ボタンが隠れる状態など，利用者が印刷開始ボタンを操作することが困難である場合に，フットスイッチを踏み込むことで簡単に印刷開始が行える仕組みになっている。また，原稿が分厚い本であったり，凹凸を有するものである場合にも，利用者が原稿を原稿台に両手で押さえつけながらフットスイッチを踏み込むことで，印刷時の原稿台上の原稿位置を安定させながらの印刷が行えるものである。この場合，利用者が原稿を原稿台に両手で押さえつけることができるので，原稿台と原稿との間の間隙がなくなり間隙からの余分な外部光の侵入が阻止され，安定した画像が得られる。
このような，印刷開始用のフットスイッチを設けた従来の画像形成装置としては，特許文献１や特許文献２に挙げられる装置がある。
【０００３】
上記特許文献１に挙げられる画像形成装置は，画像形成装置本体の前面部，および左右両側面部の下部の底板上に，それぞれ印刷開始用のフットスイッチを備えたものとして提案されている。この画像形成装置では，印刷を行う時々により，利用者の都合に応じた場所のフットスイッチを利用者が操作することで，印刷時の操作性の向上が図られている。
【０００４】
また，上記特許文献２に挙げられる画像形成装置は，印刷開始ボタンの他に，印刷開始用のフットスイッチを備えたものとして提案されている。この画像形成装置では，印刷開始ボタンとフットスイッチとはＯＲ接続になっており，印刷開始ボタンあるいはフットスイッチのうち，いずれか一方を利用者が操作すると印刷処理が開始される仕組みになっている。
ここで，この画像形成装置には，原稿台ガラス或いは原稿置き台上の原稿の有無を検知する原稿検知手段が設けられており，この原稿検知手段により原稿なしと検知されると，利用者が印刷開始ボタンやフットスイッチを操作しても印刷処理は開始されない。この場合，表示パネルなどに原稿なしの旨を表すメッセージが表示され，利用者に対して，原稿台へ原稿を載置するよう促している。
【特許文献１】実開平５−４５７１８号公報
【特許文献２】特開平５−７２８３８号公報
【発明の開示】
【発明が解決しようとする課題】
【０００５】
しかしながら，上記特許文献１，および上記特許文献２に挙げられる画像形成装置では，いずれも，画像形成装置が稼働している間は，常にフットスイッチが使用可能になっている。つまり，画像形成装置が稼働している間は，画像形成装置が備える制御部へ，フットスイッチから送信される印刷開始を指示するデータ信号の入力が，常に可能な状態にある。そのため，誤ってフットスイッチを踏んだ場合でも，フットスイッチからのデータ信号が制御部に入力されることで，徒らに印刷が開始される可能性がある。
【０００６】
従って，本発明は上記事情に鑑みてなされたものであり，その目的とするところは，所定の操作を行うことで，踏み込み動作により原稿の印刷処理を開始させる指令を画像形成装置に入力する，補助的印刷開始指示手段（例えばフットスイッチ）からの入力が許可される画像形成装置を提供することにある。
このことにより，利用者が上記所定の操作を行うことで，初めて，画像形成装置に対する補助的印刷開始指示手段からの入力が許可されることになる。そのため，補助的印刷開始指示手段の誤操作が起きた場合でも，上記所定の操作が行われるまでは，画像形成装置に対する補助的印刷開始指示手段からの入力の許可がされていないので，徒らに印刷処理が開始されることがない。
【課題を解決するための手段】
【０００７】
上記目的を達成するために本発明は，画像形成装置に関する情報の表示及び該画像形成装置の操作に関する入力を行なうための表示操作手段と，踏み込み動作により上記画像形成装置に上記原稿の印刷処理を開始させる指令を入力する補助的印刷開始指示手段とを具備してなる画像形成装置において，上記表示操作手段に設けられた所定の部材或いは所定の部材の組合せを操作することで上記補助的印刷開始指示手段からの入力が許可される画像形成装置として構成される。
ここで，上記補助的印刷開始指示手段の一例としては，フットスイッチが挙げられる。
【０００８】
この場合，上記画像形成装置は，上記所定の部材或いは所定の部材の組合せによる操作から所定時間内に上記補助的印刷開始指示手段からの入力が行われない際に，上記所定の部材或いは所定の部材の組合せによる操作がなかったものと看做す処理が行なわれる初期化手段を備えている。
【０００９】
また，上記画像形成装置には，上記表示操作手段に設けられた所定の部材或いは所定の部材の組合せが操作された場合に，上記表示操作手段に上記補助的印刷開始指示手段からの入力が可能である旨が表示されることがある。この場合，上記所定の部材或いは所定の部材の組合せによる操作が行われた際に，上記補助的印刷開始指示手段からの入力が可能であることが表示されると共に，上記操作から所定時間内に上記補助的印刷開始指示手段からの入力が行われない際に，上記補助的印刷開始指示手段からの入力が可能であることの表示がクリアされる。
ここで，上記表示操作手段から，上記所定時間の設定を可能にしてもよい。
【００１０】
この場合，上記画像形成装置において，上記所定時間中は，上記表示操作手段に上記補助的印刷開始指示手段の動作残時間が表示される
ことが望ましい。
【００１１】
更に，本発明は，画像形成装置に関する情報の表示及び該画像形成装置の操作に関する入力を行なうための表示操作手段と，踏み込み動作により上記画像形成装置に上記原稿の印刷処理を開始させる指令を入力する補助的印刷開始指示手段とを具備してなる画像形成装置を制御するプログラムであり，上記表示操作手段に設けられた所定の部材或いは所定の部材の組合せを操作することで上記補助的印刷開始指示手段からの入力が許可される機能を実現するためのプログラムとしても構成される。
【発明の効果】
【００１２】
以上説明したように本発明によれば，上記画像形成装置において，上記表示操作手段に設けられた所定の部材或いは所定の部材の組合せを操作することで，踏み込み動作により原稿の印刷処理を開始させる指令を画像形成装置に入力する，補助的印刷開始指示手段（例えばフットスイッチ）からの入力が許可される。
このことにより，利用者が上記表示操作手段に設けられた所定の部材或いは所定の部材の組合せを操作をすることで，初めて，上記画像形成装置に対する上記補助的印刷開始指示手段からの入力が許可されることになる。そのため，上記補助的印刷開始指示手段の誤操作が起きた場合でも，上記所定の操作が行われるまでは，上記画像形成装置に対する上記補助的印刷開始指示手段からの入力の許可がされていないので，徒らに印刷処理が開始されることを防止する効果が得られる。
【発明を実施するための最良の形態】
【００１３】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の一実施形態（以下，実施形態例と言う）に係る画像形成装置Ａの概略断面図，図２は本実施形態例に係る上記画像形成装置Ａが備える原稿マット２１を開いた際の上面図，図３は本実施形態例に係る上記画像形成装置Ａの制御系統における主要部の構成ブロック図，図４は本実施形態例に係る上記画像形成装置Ａが備える制御部３０が実施する，フットスイッチＸからのデータ信号の入力許可についての一連の処理を表すフローチャートである。
【００１４】
まず，図１および図２を用いて，本発明の実施の形態に係る上記画像形成装置Ａの全体構成について説明する。
上記画像形成装置Ａは，踏み込み動作により原稿台２２上の原稿の印刷処理を開始させる指定を入力する補助的印刷開始指示手段の一例としてフットスイッチＸを備えた，複写機能およびプリンタ機能を有する複合機である。
【００１５】
また，上記画像形成装置Ａが備えるフットスイッチＸについては，上記画像形成装置Ａと専用のケーブルで接続されている（図１）が，フットスイッチを画像形成装置本体側の下部筐体等に直接設けた画像形成装置にも本発明は適応し得る。更に，本実施形態例で挙げられている上記画像形成装置Ａは，モノクロ現像装置に関するものであるが，カラー現像に関するものであっても良いことは当然である。
【００１６】
上記画像形成装置Ａは，下方に複数のカセット５を装着する給紙部を備え，その上方に両面ユニット６が配置され，その上方には画像形成部７が設けられている。画像形成部７の横には，転写紙などのシートにトナーを定着させる定着装置２０が設けられ，その上部には画像を読み取るスキャナ８，原稿を直接載置する原稿台２２，自動原稿搬送装置（以下，ＡＤＦという）９が取り付けられている。原稿台２２に載置される原稿については，原稿マット２１を閉めることで，その載置位置が安定される。
【００１７】
上記画像形成装置Ａの本体上面には，液晶タッチパネル等の表示操作部３が配置されている。表示操作部３には，例えばボタン部材等の複数の部材が設けられている。これらの部材が，利用者によって各々操作されることで，例えば画質モード選択や，複数あるカセット５のうちいずれを使用するかといった，上記画像形成装置Ａが備える諸機能に対する設定がされる。ここで，表示操作部３には，上記ボタン部材等の複数の部材の１つとして，後述する動作開始ボタン３２が設けられている。この動作開始ボタン３２を利用者が押下することで，所定時間内だけ，フットスイッチＸを用いての印刷開始の操作が可能になる。この場合，上記所定時間については，予め所定の記憶部などに記憶させている固定値（デフォルト値）を用いてもよいし，表示操作部３が備える上記ボタン部材などの複数の部材の１つを利用者が操作することで設定される可変値を用いてもよい。
【００１８】
ここで，本実施形態例では，フットスイッチＸの動作を可能にさせる部材として，動作開始ボタン３２（本発明における所定の部材）を挙げている。しかし，これはあくまで一例であり，動作開始ボタン３２だけでなく，上述したようなボタン部材などの複数の部材の中の１つ，あるいは複数の部材の組み合わせ（本発明における所定の部材の組合せ）により，フットスイッチＸの動作を可能にさせてもよい。
更に，フットスイッチＸを複数回踏んだときに，画像形成動作の開始指令として認識するようにしてもよく，その時の踏み込み回数を利用者が入力設定できるようにしてもよい。また，特殊なフットスイッチを用いて，フットスイッチを踏む場所によって指令の種類を変えるようなことも出来るようにしても良い。
【００１９】
画像形成部７には感光体ドラム１１の周囲に，帯電装置１２，現像装置１３，クリーニング装置１４が配置された作像ユニット１５が設けられており，下方には感光体ドラム１１に対向して転写装置１６が配置されている。感光体ドラム１１は，例えば直径８４ｍｍのアルミ円筒の表面に感光層が形成されており，図１において時計方向に回転駆動される。帯電装置１２は回転する感光体ドラム１１の表面をコロナ放電により数百Ｖに帯電させる。感光体ドラム１１表面の帯電装置１２よりも回転方向下流側では，ＬＥＤアレイヘッドとセルフォックレンズ等から構成される露光装置１８により，感光体ドラム１１の表面が露光されて静電潜像が形成される。この露光装置１８の発光出力の制御に用いられる画像データは画像処理部４から入力されている。
【００２０】
原稿台２２に載置された原稿は，光源であるスキャナ８により走査された後，その原稿の反射光はミラーを介してＣＣＤ１０（Charge-Coupled Device；画像信号を電気信号に変換するデバイス）へ入射され，ここでＡ／Ｄ変換されてデジタル画像データ（原稿画像データ）として画像処理部４に入力される。入力された上記原稿画像データは，画像処理部４で所定の画像処理が施される。その後，画像処理後の上記原稿画像データは露光装置制御手段１９に入力されると，入力された上記原稿画像データに従った露光が行われるように，露光装置制御手段１９が露光装置１８を制御する。
【００２１】
現像装置１３では現像ローラが回転して，現像ローラ表面に形成された磁気ブラシが感光体ドラム１１表面に接触し，静電潜像に対して帯電したトナーを付着させてトナー画像を形成する。このトナー画像は転写装置１６において，いずれかのカセット５から搬送されてきたシートが，感光体ドラム１１とその周速と同じ速度で移動する転写ベルト１７との間に挟持された状態で搬送されながら帯電されることでトナー画像がシート上に転写される。さらに，転写装置１６の下流側にはクリーニング装置１４が配置されており，感光体ドラム１１の表面上に残留したトナーや他の付着物が除去される。転写装置１６によってトナー像が転写されたシートは，その搬送方向下流側に設けられた定着装置２０に運ばれる。
尚，上記画像形成装置Ａの転写装置１６は，転写ベルトを用いたものが採用されているが，これを転写ローラに置き換えることも可能である。
【００２２】
定着装置２０は，定着ローラ１，およびこれに対向する加圧機構を備えた加圧ローラ２から構成されている。転写ベルト，あるいは転写ローラにより転写装置１６から搬送されたシートに付着しているトナー画像は，シートが定着ローラ１と加圧ローラ２との間を通過する間に，定着ローラ１の熱によってトナー画像が溶融定着されると共に，加圧ローラ２によりシートが定着ローラ１に押し付けられることで，シートに定着される。定着装置２０でトナー画像が定着されたシートは，その後，シート処理装置Ｂ側へ送出され，所定の処理が施された後，所定のシート排出口から排出される。
【００２３】
次に，本実施形態例に係る上記画像形成装置Ａの制御系統における主要部の構成について図３を用いて説明する。
上記画像形成装置Ａ全体は，ＣＰＵ，半導体メモリ等からなる制御部３０によって制御される。制御部３０は，半導体メモリ等に格納された所定のプログラム（例えばフットスイッチＸの操作における諸情報を初期化する初期化手段３３）を実行することにより，各種制御及び演算処理を行う。また制御部３０は，経過時間をカウントするタイマ３１，表示操作部３，表示操作部３に設けられ，利用者の押下動作によりフットスイッチＸを用いての印刷開始の操作を可能にさせる動作開始ボタン３２，フットスイッチＸ，フットスイッチＸが操作可能である時間等の諸情報を記憶する内部記憶部３４などを制御しており，これらの各々の装置と制御部３０とは，所定のバスで接続されている。このことにより，各々の装置と制御部３０との間でのデータ信号の送受信が可能になっている。
ここで，制御部３０が備える半導体メモリ，あるいは内部記憶部３４などの記憶部に，フットスイッチＸから送信されるデータ信号が有効であるか否かの判別に用いられる所定のデータ（例えばフラグやビットデータ。以下，印刷可否データという）が記憶される領域が設けられてもよい。
【００２４】
以下，図４のフローチャートを用いて，制御部３０が実行する，フットスイッチＸからの入力許可についての一連の処理について説明する。尚，図４における符号Ｓ１，Ｓ２，… はそれぞれステップ（処理手順）の番号を示している。
ここでは，フットスイッチＸが１回踏み込まれただけで画像形成処理の開始が指令される場合について記載するものとする。また，本処理では，上記画像形成装置ＡへのフットスイッチＸから送信されるデータ信号の入力が可能である時間（以下，フットスイッチ動作可能時間という）が，利用者により表示操作部３から入力された場合には，上記画像形成装置Ａが備える内部記憶部３４に，表示操作部３から利用者により入力された上記フットスイッチ動作可能時間が記憶されるものとする。以下，内部記憶部３４において，利用者により入力された上記フットスイッチ動作可能時間が記憶される所定の領域を，フットスイッチ動作可能時間記憶領域という。
【００２５】
Ｓ１：利用者により動作開始ボタン３２が押下されたか否かを判別する。押下されたと判別するとステップＳ２に進む。また，動作開始ボタン３２が押下されていないと判別すると本ステップを繰り返す。
Ｓ２：動作開始ボタン３２が押下されていれば，フットスイッチＸ
を用いての印刷開始の操作を，利用者が所望しているものとし，タイマ３１を起動することにより経過時間のカウントを開始させる。
Ｓ３：内部記憶部３４の上記フットスイッチ動作可能時間記憶領域に，表示操作部３から利用者により入力された上記フットスイッチ動作可能時間が記憶されているか否かを判別する。記憶されている場合にはステップＳ５に進み，記憶されていない場合はステップＳ４に進む。
Ｓ４：上記ステップＳ３にて，上記フットスイッチ動作可能時間記憶領域に上記フットスイッチ動作可能時間が記憶されていないと判別されたので，予め内部記憶部３４の別領域に記憶されている上記フットスイッチ動作可能時間のデフォルト値を，上記フットスイッチ動作可能時間として，上記フットスイッチ動作可能時間記憶領域に記憶させてステップＳ５に進む。
Ｓ５：上記フットスイッチ動作可能時間が上記フットスイッチ動作可能時間記憶領域に記憶されると，フラグ等の上記印刷許可情報データを内部記憶部３４に記憶させて（例えば，０→１にする）ステップＳ６に進む。このことにより，内部記憶部３４に記憶されている上記印刷許可情報データが０の場合は，印刷処理が開始されないように制御部３０によって制御されることで，フットスイッチＸを誤って踏んでしまった場合などの誤操作が生じた際の印刷処理の開始が阻止される。
尚，上記印刷可否データについては，制御部３０が備える半導体メモリに記憶されてもよい。
Ｓ６：上記ステップＳ５にて，フットスイッチＸが動作可能となったので，表示操作部３にフットスイッチＸが動作可能である旨を表す文言（あるいは記号）を表示させる。また同時に，上記フットスイッチ動作可能時間と，上記ステップＳ２にてカウントを開始したタイマ３１の経過時間との差，つまりフットスイッチＸの動作残時間をも併せて表示させる。
Ｓ７：タイマ３１における経過時間のカウントが，上記フットスイッチ動作可能時間に達したか否かが判別される。上記フットスイッチ動作可能時間に達していない場合はステップＳ８に進み，達している場合にはステップＳ１０に進む。
Ｓ８：利用者によりフットスイッチＸが踏み込まれたか否かを，フットスイッチＸから制御部３０へ入力されるデータ信号から判別する。データ信号が入力された場合は，利用者によりフットスイッチＸが踏み込まれたとしステップＳ９に進む。また，データ信号が入力されていない場合は，フットスイッチＸが踏み込まれていないものとして上記ステップＳ６の処理に戻る。
Ｓ９：内部記憶部３４に記憶されている上記印刷許可情報データが，０であるか否かを判別する。上記印刷許可情報データが０である場合には，利用者により動作開始ボタン３２が押下されていない状態，つまりフットスイッチＸの動作が許可されていない状態だとみなし，ステップ１０に進む。上記印刷許可情報データが１である場合には，利用者により動作開始ボタン３２が押下されている状態，つまりフットスイッチＸの動作が許可されている状態だとみなし，ステップＳ１２に進む。
Ｓ１０：上記ステップＳ７にて，タイマ３１における経過時間のカウントが，上記フットスイッチ動作可能時間に達したと判別された場合には，上記ステップＳ５にて内部記憶部３４に記憶された上記印刷許可情報データを，１から０に変更させることで，フットスイッチＸを用いての印刷処理が行われないようにする。また同時に，上記ステップＳ６にて表示される，フットスイッチＸが動作可能である旨を表す文言（あるいは記号），およびフットスイッチＸの動作残時間を，表示操作部３から消去（クリア）させる。この表示操作部３から情報をクリアする処理については，上記ステップＳ９にて，内部記憶部３４に記憶されている上記印刷許可情報データが０であると判別された場合についても同様に実行する。
本ステップにおいて，内部記憶部３４に記憶された上記印刷可否データを，例えば１から０に変更させることで，フットスイッチＸを用いての印刷処理が行われないようにすることが，本発明における初期化手段の一例である。
Ｓ１１： タイマ３１の経過時間のカウントをクリアする。
Ｓ１２：上記ステップＳ９にて，上記印刷許可情報データが１である，つまり，利用者が動作開始ボタン３２を押下したことで，フットスイッチＸの動作が許可されている状態であるので，上記画像形成装置Ａにおける印刷処理を開始させる。
Ｓ１３：制御部３０が印刷処理の終了を判別すると共に，上記ステップＳ２で開始させた，タイマ３１での経過時間のカウントをクリアし，再度，タイマ３１の経過時間のカウントを０から開始させる。その後，上記ステップＳ６の処理に戻る。
【００２６】
尚，上述したステップＳ１〜ステップＳ１３の処理は，上記画像形成装置Ａが備える内部記憶部３４などに予め記憶されたプログラム（制御プログラム）により実行されるものである。従って上述した一連の処理はこのプログラムにより実行される一連の機能であるということができる。
【００２７】
ここで，上述したステップＳ１〜ステップＳ１３は，フットスイッチＸの誤操作を防止することを目的とした一連の処理を挙げている。
この一連の処理に加えて，上記印刷許可情報データが１である場合（つまり，フットスイッチＸが動作可能である場合）には，通常使用される印刷開始ボタンを使用できなくすることで，フットスイッチＸ使用時の印刷開始ボタンの誤操作を防止することも可能である。
【図面の簡単な説明】
【００２８】
【図１】本発明の一実施形態に係る画像形成装置Ａの概略断面図。
【図２】本実施形態例に係る上記画像形成装置Ａの原稿マット２１を開いた時の上面図。
【図３】本実施形態例に係る上記画像形成装置Ａの制御系統における主要部の構成ブロック図。
【図４】本実施形態例に係る上記画像形成装置Ａが備える制御部３０が実行する，フットスイッチＸからのデータ信号の入力許可についての一連の処理を表すフローチャート。
【符号の説明】
【００２９】
１…定着ローラ
２…加圧ローラ
３…表示操作部
４…画像処理部
５…カセット
６…両面ユニット
７…画像形成部
８…スキャナ
９…自動原稿搬送装置（ＡＤＦ）
１０…ＣＣＤ
１１…感光体ドラム
１２…帯電装置
１３…現像装置
１４…クリーニング装置
１５…作像ユニット
１６…転写装置
１７…転写ベルト
１８…露光装置
１９…露光装置制御手段
２０…定着装置
２１…原稿マット
２２…原稿台
３０…制御部
３１…タイマ
３２…動作開始ボタン
３３…初期化手段
３４…内部記憶部
【図１】
2005062401.tif 000003
【図２】
2005062401.tif 000004
【図３】
2005062401.tif 000005
【図４】
2005062401.tif 000006